(57)【要約】      （修正有）【課題】インテリジェントにアンテナ・ポートを選択し、ＵＥへ通知する（例えば、アンテナ・ポート数をレガシーＵＥへ通知し、別のアンテナ・ポート数を新たなＵＥへ通知する）システムおよび方法を提供する。【解決手段】アンテナ・ポート数を調節する際におけるそのような適合機能によって、基地局（単数または複数）は、総じて、利用されている無線システム全体の効率的な動作のために、レガシーＵＥおよび新たなＵＥ（例えば、ＬＴＥ−Ａ）の要件をインテリジェントにバランスさせることが可能となる（例えば、新たなユーザのパフォーマンス向上は、レガシー・ユーザのパフォーマンス低下の相殺と見なされる）。したがって、アンテナ・ポートに関連付けられた基準信号（ＲＳ）のために一般に確保されるリソースは、これらアンテナ・ポートが、無線システム動作の一部としてＵＥへ通知されない場合に解放されうる。【選択図】図２
2014060748.tif 000002
【特許請求の範囲】
【請求項１】
無線通信システムにおいて使用される方法であって、
前記無線通信システムにおけるレガシー・ユーザ機器（ＵＥ）動作のための送信アンテナ・ポート数を設定することと、
前記無線通信システムにおける新たなＵＥ動作のための異なる送信アンテナ・ポート数を設定することと、
前記無線通信システムで、レガシーＵＥ動作のための送信アンテナ・ポートと、新たなＵＥ動作のための送信アンテナ・ポートとを通知することと
を備える方法。
【請求項２】
前記通知することは、共通制御チャネルを介してなされる請求項１に記載の方法。
【請求項３】
前記通知することは、ロング・ターム・イボリューション（ＬＴＥ）において物理ブロードキャスト・チャネル（ＰＢＣＨ）を介してなされる請求項１に記載の方法。
【請求項４】
すべての制御チャネルを、レガシーＵＥ動作のために、前記送信アンテナ・ポートを介して送信することをさらに備える請求項１に記載の方法。
【請求項５】
レガシーＵＥおよび新たなＵＥのおのおののデータを、対応するそれぞれの送信アンテナ・ポートを介して送信することをさらに備える請求項１に記載の方法。
【請求項６】
新たなＵＥ動作のための異なる送信アンテナ・ポート数は、レガシーＵＥ動作のための送信アンテナ・ポート数よりも多い請求項１に記載の方法。
【請求項７】
前記レガシーＵＥのピーク・レートを犠牲にして、前記新たなＵＥのピーク・レートを改善することをさらに備える請求項５に記載の方法。
【請求項８】
前記新たなＵＥによる使用のため、基準信号（ＲＳ）用に確保されたリソースを解放するために、レガシーＵＥについて通知されるアンテナ・ポート数を低減することをさらに備える請求項１に記載の方法。
【請求項９】
レガシー・ユーザの数、新たなユーザの数、基地局に対するユーザの位置、ユーザについて期待されるパフォーマンス、タイプ交換されたデータ、ＱｏＳ、受信アンテナ機能またはＵＥ機能、または、これらの組み合わせ、を収集することに基づいてアンテナ・ポートを決定することをさらに備える請求項６に記載の方法。
【請求項１０】
請求項１に記載の方法を実行するように構成された電子デバイス。
【請求項１１】
無線通信装置であって、
無線通信システムにおけるレガシー・ユーザ機器（ＵＥ）動作のための送信アンテナ・ポート数を設定し、
前記無線通信システムにおける新たなＵＥ動作のための異なる送信アンテナ・ポート数を設定し、
前記無線通信システムで、レガシーＵＥ動作のための送信アンテナ・ポートと、新たなＵＥ動作のための送信アンテナ・ポートとを通知する
ように構成された少なくとも１つのプロセッサを備える無線通信装置。
【請求項１２】
コンピュータ読取可能媒体を備えるコンピュータ・プログラム製品であって、
前記コンピュータ読取可能媒体は、
少なくとも１つのコンピュータに対して、無線通信システムにおけるレガシー・ユーザ機器（ＵＥ）動作のための送信アンテナ・ポート数と、新たなＵＥ動作のための異なる送信アンテナ・ポート数とを設定させるためのコードと、
少なくとも１つのコンピュータに対して、前記無線通信システムでアンテナ・ポートを通知させるためのコードと
を備えるコンピュータ・プログラム製品。
【請求項１３】
装置であって、
無線通信システムにおけるレガシー・ユーザ機器（ＵＥ）動作のための送信アンテナ・ポート数と、新たなＵＥ動作のための異なる送信アンテナ・ポート数とを設定するアンテナ適合構成要素と、
前記無線通信システムでアンテナ・ポートを通知するアンテナ通知構成要素と
を備える装置。
【請求項１４】
無線通信システムで使用される方法であって、
前記無線通信システムの全体の効率的な動作のために、レガシー・ユーザ機器（ＵＥ）の要件と新たなＵＥの要件との間をインテリジェントにバランスさせるようにアンテナ・ポート数を適合させることと、
前記無線通信システムでアンテナ・ポートを通知することと
を備える方法。
【請求項１５】
無線通信装置であって、
無線通信システムの全体の効率的な動作のために、レガシー・ユーザ機器（ＵＥ）の要件と、新たなＵＥの要件との間をインテリジェントにバランスさせるようにアンテナ・ポート数を適合させ、
前記無線通信システムでアンテナ・ポートを通知する
ように構成された少なくとも１つのプロセッサを備える無線通信装置。
【請求項１６】
前記少なくとも１つのプロセッサはさらに、前記アンテナ・ポートを、ロング・ターム・イボリューション（ＬＴＥ）において物理ブロードキャスト・チャネル（ＰＢＣＨ）を介してレガシーＵＥへ通知するように構成された請求項１５に記載の無線通信装置。
【請求項１７】
前記少なくとも１つのプロセッサはさらに、レガシーＵＥの基準信号（ＲＳ）用に確保されたリソースを解放するために、アンテナ・ポート数を低減するように構成された請求項１５に記載の無線通信装置。
【請求項１８】
前記少なくとも１つのプロセッサはさらに、前記レガシーＵＥを犠牲にして、新たなＵＥのパフォーマンスを改善するように構成された請求項１７に記載の無線通信装置。
【請求項１９】
前記少なくとも１つのプロセッサはさらに、利用可能なユーザ数を、確率論的推論に基づいて決定するように構成された請求項１５に記載の無線通信装置。
【請求項２０】
前記少なくとも１つのプロセッサはさらに、前記無線通信システムに出入りするユーザに基づいて、アンテナ・ポート数を変更するように構成された請求項１９に記載の無線通信装置。
【請求項２１】
前記少なくとも１つのプロセッサはさらに、前記ユーザに対して、利用可能なアンテナ・ポート数について通知するように構成された請求項２０に記載の無線通信装置。
【請求項２２】
前記少なくとも１つのプロセッサはさらに、レガシー・ユーザの数、新たなユーザの数、基地局に対するユーザの位置、ユーザについて期待されるパフォーマンス、タイプ交換されたデータ、サービス品質（ＱｏＳ）、受信アンテナ機能またはＵＥ機能、または、これらの組み合わせ、を収集するように構成された請求項２０に記載の無線通信装置。
【請求項２３】
前記少なくとも１つのプロセッサはさらに、前記新たなＵＥへ、システム情報ブロック（ＳＩＢ）によってアンテナ・ポートを通知するように構成された請求項２０に記載の無線通信装置。
【請求項２４】
装置であって、
無線通信システムの全体の効率的な動作のために、レガシー・ユーザ機器（ＵＥ）の要件と、新たなＵＥの要件との間をインテリジェントにバランスさせるようにアンテナ・ポート数を適合させる適合手段と、
前記無線通信システムでアンテナ・ポートを通知する通知手段と
を備える装置。
【請求項２５】
前記適合手段はさらに、アンテナ・ポートの数を選択する手段を備える請求項２４に記載の装置。
【請求項２６】
前記適合手段はさらに、前記アンテナ・ポート数を、前記無線通信システムの要件に適合させる手段を備える請求項２５に記載の装置。
【請求項２７】
前記適合手段は、レガシー・ユーザの基準信号（ＲＳ）用に確保されたリソースを解放するために、前記アンテナ・ポート数を低減する請求項２５に記載の装置。
【請求項２８】
前記適合手段は、前記レガシーＵＥを犠牲にして、前記新たなＵＥのパフォーマンスを改善する請求項２５に記載の装置。
【請求項２９】
前記適合手段は、利用可能なユーザ数を、確率論的推論に基づいて決定する請求項２５に記載の装置。
【請求項３０】
前記適合手段は、前記無線通信システムに出入りするユーザに基づいて、通知されるアンテナ・ポート数を変更する請求項２５に記載の装置。
【請求項３１】
前記通知手段は、ユーザに対して、利用可能なアンテナ・ポート数について通知する請求項２６に記載の装置。
【請求項３２】
コンピュータ読取可能媒体を備えるコンピュータ・プログラム製品であって、
前記コンピュータ読取可能媒体は、
少なくとも１つのコンピュータに対して、アンテナ・ポート数を適合させ、無線通信システムの全体の効率的な動作のために、少なくとも１つのコンピュータに対して、レガシー・ユーザ機器（ＵＥ）の要件と、新たなＵＥの要件との間をインテリジェントにバランスさせるためのコードと、
少なくとも１つのコンピュータに対して、前記無線通信システムでアンテナ・ポートを通知させるためのコードと
を備えるコンピュータ・プログラム製品。
【請求項３３】
前記コンピュータ読取可能媒体はさらに、少なくとも１つのコンピュータに対して、レガシー・ユーザの基準信号（ＲＳ）用に確保されたリソースを解放するために、前記アンテナ・ポート数を低減させるためのコードを備える請求項３２に記載のコンピュータ・プログラム製品。
【請求項３４】
前記コンピュータ読取可能媒体はさらに、少なくとも１つのコンピュータに対して、前記レガシーＵＥを犠牲にして、前記新たなＵＥのパフォーマンスを改善させるためのコードを備える請求項３２に記載のコンピュータ・プログラム製品。
【請求項３５】
前記コンピュータ読取可能媒体はさらに、少なくとも１つのコンピュータに対して、利用可能なユーザ数を、確率論的推論に基づいて決定させるためのコードを備える請求項３２に記載のコンピュータ・プログラム製品。
【請求項３６】
前記コンピュータ読取可能媒体はさらに、少なくとも１つのコンピュータに対して、前記無線通信システムに出入りするユーザに基づいて、アンテナ・ポート数を変更させるためのコードを備える請求項３２に記載のコンピュータ・プログラム製品。
【請求項３７】
前記コンピュータ読取可能媒体はさらに、少なくとも１つのコンピュータに対して、前記ユーザへ、利用可能なアンテナ・ポート数を通知させるためのコードを備える請求項３２に記載のコンピュータ・プログラム製品。
【請求項３８】
前記コンピュータ読取可能媒体はさらに、少なくも１つのコンピュータに対して、レガシー・ユーザの数、新たなユーザの数、基地局に対するユーザの位置、ユーザについて期待されるパフォーマンス、タイプ交換されたデータ、ＱｏＳ、またはこれらの組み合わせを収集することに基づいてアンテナ・ポートを決定させるためのコードを備える請求項３２に記載のコンピュータ・プログラム製品。
【請求項３９】
前記コンピュータ読取可能媒体はさらに、少なくとも１つのコンピュータに対して、システム情報ブロック（ＳＩＢ）によって前記新たなＵＥへ、アンテナ・ポートを通知させるためのコードを備える請求項３２に記載のコンピュータ・プログラム製品。
【請求項４０】
装置であって、
無線通信システムの全体の効率的な動作のために、レガシー・ユーザ機器（ＵＥ）の要件と、新たなＵＥの要件との間をインテリジェントにバランスさせるために、アンテナ・ポート数を適合させるアンテナ適合構成要素と、
前記無線通信システムでアンテナ・ポートを通知するアンテナ通知構成要素と
を備える装置。
【請求項４１】
前記アンテナ・ポートを選択するアンテナ選択構成要素をさらに備える請求項４０に記載の装置。
【請求項４２】
前記アンテナ・ポート数を、前記無線通信システムの要件に調節する調節構成要素をさらに備える請求項４１に記載の装置。
【請求項４３】
前記アンテナ通知構成要素は、アンテナ・ポートを、ＬＴＥにおいてＰＢＣＨを介して前記レガシーＵＥへ通知する請求項４０に記載の装置。
【請求項４４】
前記調節構成要素は、レガシー・ユーザの基準信号（ＲＳ）用に確保されたリソースを解放するために、アンテナ・ポート数を低減する請求項４２に記載の装置。
【請求項４５】
前記アンテナ適合構成要素は、前記レガシーＵＥを犠牲にして、前記新たなＵＥのパフォーマンスを改善する請求項４０に記載の装置。
【請求項４６】
前記アンテナ適合構成要素は、レガシー・ユーザの数、新たなユーザの数、基地局に対するユーザの位置、ユーザについて期待されるパフォーマンス、タイプ交換されたデータ、ＱｏＳ、受信アンテナ機能またはＵＥ機能、または、これらの組み合わせに関連する情報を収集することに基づいて前記アンテナ・ポートを決定する請求項４３に記載の装置。
【発明の詳細な説明】
【優先権主張】
【０００１】
本特許出願は、本願の譲受人に譲渡され、本明細書において参照によって明確に組み込まれた２００８年８月２８日出願の“ＡＤＡＰＴＩＮＧ  ＮＵＭＢＥＲ  ＯＦ  ＡＤＶＥＲＴＩＳＥＤ  ＴＲＡＮＳＭＩＴ  ＡＮＴＥＮＮＡＳ”と題された米国仮出願６１／０９２，４５０の優先権を主張する。
【技術分野】
【０００２】
以下の記載は、一般に、無線通信に関し、さらに詳しくは、無線通信システムにおけるユーザの要件に基づいて、送信アンテナ数を適合させることに関する。
【背景技術】
【０００３】
無線通信システムは、例えば、音声、データ等のようなさまざまなタイプの通信コンテンツを提供するために広く開発された。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
さらに、いくつかの進展は、現在、例えば、マルチ・ユーザＭＩＭＯ、（８つの送信アンテナおよび受信アンテナを持つ）高次ＭＩＭＯ、ネットワークＭＩＭＯ、限定された関係を有するフェムト・セル、範囲拡張を有するピコ・セル、より広い帯域幅等のようなＬＴＥ発展システムについて考慮されている。発展したＬＴＥは、新たなＵＥ（および、可能な場合にはレガシーＵＥ）へ追加機能を提供しながらレガシーＵＥ（ＬＴＥリリース８  ＵＥ）をサポートする必要がある。しかしながら、ＬＴＥにおけるすべての機能をサポートすることは、発展したＬＴＥ設計に、扱いにくい制約を課し、可能な利点を制限する。一般に、そのような機能はいずれも、新たなＵＥに対するインパクトに関し、注意深く考慮されるべきである。
【発明の概要】
【０００８】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００９】
１または複数の実施形態および対応する開示によれば、さまざまな態様が、無線通信システムにおける基地局によって通知されるアンテナ・ポート数を適合させることに関連して記載される。アンテナ・ポート数を決定する際におけるそのような適合機能によって、基地局（単数または複数）は、総じて、利用されている無線システム全体の効率的な動作のために、レガシーＵＥおよび新たなＵＥ（例えば、ＬＴＥ−Ａ）の要件をインテリジェントにバランスさせることが可能となる（例えば、新たなユーザのパフォーマンス向上は、レガシー・ユーザのパフォーマンス低下の相殺と見なされる）。そのような適合機能は、設定されるアンテナ・ポート数を、レガシーＵＥ動作のため、および、新たなＵＥ動作のために、異なる値に設定することを含みうる。その後、レガシーＵＥ用途および新たなＵＥ用途のために設定されたアンテナ・ポート数が通知される。１つの態様では、まず、レガシーＵＥへ通知されるアンテナ・ポート数を低減することによって、その後、レガシー・ユーザの基準信号（ＲＳ）のために確保された対応するリソースが、新たなＵＥによって使用されるために解放される。したがって、レガシー・ユーザを犠牲にして、新たなユーザのパフォーマンスが向上する。ここでは、無線通信システムにおけるレガシーＵＥの動作と、新たなＵＥの動作との間での、スムーズな移行がなされる。
【００１０】
そのような革新的な概念は、レガシーＵＥのみしか存在していないと仮定する（例えば、レガシー・デバイスのパフォーマンスを高めるためのアンテナ・ポート数を通知する）ことにより、一般に、まず低い処理オーバヘッドおよび設計システムを求める市場の力に反してなされる。しかしながら、レガシーＵＥと新たなＵＥとの両方を有するシステムでは、システム要件に適合的に調節する選択されたアンテナ・ポート数を通知することによって、システム・リソース全体を効率的に利用することに関する予期せぬ利益が得られる。これは、関連付けられたアンテナ・ポートが、無線システム動作の一部としてＵＥに通知されない場合、アンテナに関連付けられた基準信号（ＲＳ）のために一般に確保されているリソースを解放する。１つの特定の態様によれば、既存のメカニズムを用いて（例えば、ＬＴＥにおけるＰＢＣＨによって）、送信アンテナ・ポート数が、レガシーＵＥへ通知され、別のメカニズムを用いて（例えば、ＬＴＥ−Ａにおけるシステム情報ブロックＳＩＢによって）、より多くの送信アンテナ・ポート数が、新たなＵＥへ通知される。
【００１１】
関連する方法では、基地局は、無線システムにおいて利用可能なユーザ、および関連する情報を決定しうる。このような情報は、ユーザのタイプ（例えば、レガシー、ＬＴＥ−Ａ）、各タイプのユーザ数、基地局に対する相対位置、与えられたアンテナ・ポートの数に基づく各タイプに期待されるパフォーマンス、交換された情報／データのタイプ、ＱｏＳ、ＵＥの送信アンテナ数、またはＵＥ機能等に関連するデータを収集することに基づきうる。収集されたこれら情報に基づいて、基地局は、例えば、計算または推論によって、利用可能な多くのユーザ（例えば、レガシー・ユーザ）に対して通知されるべきアンテナ・ポート数を決定する。推論はさらに、確率論的、すなわち、データおよびイベントの考慮に基づく、対象状態にわたる確率分布の計算でありうる。推論はまた、イベントおよび／またはデータのセットから、より高いレベルのイベントを構築するために適用される技術を称することができる。ユーザが、無線ネットワークとの出入りを行うか、および／または、要件が変化すると、通知されるアンテナ・ポート数は、システム要件に適合するように変化しうる。その後、ユーザは、利用可能なアンテナ・ポート数に関する通知（例えば、ページング、サーバによる通知）がなされる。特定の態様によれば、この方法は、まず、無線通信システムにおけるレガシー・ユーザ機器（ＵＥ）動作のための送信アンテナ・ポート数を設定することと、次に、無線通信システムにおける新たなＵＥ動作のために異なるアンテナ・ポート数を設定することと、無線通信システムにおけるレガシーＵＥ動作のための送信アンテナ・ポートと、新たなＵＥ動作のためのアンテナ・ポートとを通知することとを備える。関連する例では、このような通知動作は、共通制御チャネル、および／または、ロング・ターム・イボリューション（ＬＴＥ）における物理ブロードキャスト・チャネル（ＰＢＣＨ）を介してなされる。さらに、レガシーＵＥおよび新たなＵＥのおのおののデータが、対応するアンテナ・ポートを経由して送信されうる。
【００１２】
別の態様は、無線通信装置に関する。この無線通信装置は、少なくとも１つのプロセッサを含みうる。少なくとも１つのプロセッサは、基地局が、通知されるアンテナ・ポート数を決定できるように構成されうる。さらに、少なくとも１つのプロセッサは、このようなアンテナ・ポート数を、システム要件に適合させるように構成されており、例えば、アンテナ・ポート数をレガシーＵＥに通知したり、別のアンテナ・ポート数を新たなＵＥへ通知する。例えば、このシステムは、レガシーＵＥのためであっても、最初に４つのアンテナを通知し、その後、利用可能な８つすべてのアンテナを利用する。そのため、この少なくとも１つのプロセッサは、決定および／または選択されたアンテナ・ポートを、総じて、利用されている無線システム全体の効率的な動作に基づいて、ＵＥへ通知しうる。
【００１３】
また別の態様は、通信装置に関する。この無線通信装置は、通知されるアンテナ・ポート数を決定する手段を含みうる。これによって、基地局は、通知されるアンテナ・ポート数を決定することができる。さらに、この無線通信装置は、アンテナ・ポート数をシステム要件に適合させる手段を含みうる。
【００１４】
また、別の態様は、コンピュータ読取可能媒体を備えうるコンピュータ・プログラム製品に関する。このコンピュータ読取可能媒体は、通知されるアンテナ・ポート数をコンピュータに決定させるためのコードを含みうる。このようなコンピュータ読取可能媒体はさらに、システム要件が時間とともに変化する場合、アンテナ・ポートをシステム要件に適合させるためのコードを含みうる。このようなコードによって、通知されるアンテナ・ポート数を決定する際における適合機能を可能とし、もって、基地局（単数または複数）は、総じて、利用されている無線システム全体の効率的な動作のために、レガシーＵＥおよび新たなＵＥ（例えば、ＬＴＥ−Ａ）の要件をインテリジェントにバランスさせることが可能となる（例えば、新たなユーザのパフォーマンス向上は、レガシー・ユーザのパフォーマンス低下の相殺と見なされる）。
【００１５】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１６】
【図１】図１は、本明細書に記載されたさまざまな態様にしたがう無線通信システムの例示である。
【図２】図２は、主題とするイノベーションにしたがって、アンテナ・ポート数を決定すること、および、その適合をサポートする典型的なシステムを例示する。
【図３】図３は、主題とするイノベーションのさらなる態様にしたがって、通知される送信アンテナ数を適合させることを可能にする関連方法を例示する。
【図４】図４は、アンテナ・ポート数を決定する際における適合機能を可能にする典型的な通信システムを例示する。
【図５】図５は、主題とするイノベーションの態様にしたがって、アンテナ・ポート選択のための適合機能を組み込んだ典型的な無線通信システムを例示する。
【図６】図６は、主題とするイノベーションの態様にしたがって、アンテナ・ポート数を調節することにより、リソースを分配するための柔軟性を提供するシステムを例示する。
【図７】図７は、無線通信環境においてアンテナ・ポート数の適合を可能にするシステムの例示である。
【図８】図８は、通信環境において、アンテナ・ポート数を適合させるための主題とするイノベーションの関連する態様にしたがう特定の方法を例示する。
【図９】図９は、主題とするイノベーションのさらなる態様にしたがうモバイル・デバイスを例示する。
【図１０】図１０は、さまざまなアンテナ適合態様が実施され、多くのユーザをサポートするように構成された典型的な無線通信システムを例示する。
【図１１】図１１は、本明細書で提供されるさまざまな態様にしたがって、通信システムにおけるアンテナ・ポート数を適合させるためのシステムのブロック図である。
【図１２】図１２は、アンテナ・ポート数を適合させるため、主題とするイノベーションの関連する態様にしたがうさらなる方法を例示する。
【発明を実施するための形態】
【００１７】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１８】
本願で使用されるように、用語「構成要素」、「モジュール」、「システム」等は、限定される訳ではないが、ハードウェア、ファームウェア、ハードウェアとソフトウェアとの組み合わせ、ソフトウェア、実行中のソフトウェアのようなコンピュータ関連エンティティおよび／または電子デバイスを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素が、実行スレッドおよび／またはプロセス内に存在し、構成要素は、少なくとも１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００１９】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは無線モデムに接続されたその他の処理デバイスでありうる。さらに、本明細書では、さまざまな態様が、基地局に関して記載される。基地局は、無線端末（単数または複数）との通信のために利用され、アクセス・ポイント、ノードＢ、発展型ノードＢ（ｅノードＢ、ｅＮＢ）、フェムト・セル、ピコ・セル、ミクロ・セル、マクロ・セル、ホーム発展型ノードＢ（ＨｅＮＢ）、ホーム・ノードＢ（ＨＮＢ）、またはその他のいくつかの用語で称されうる。
【００２０】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本明細書および特許請求の範囲で使用される冠詞“ａ”および“ａｎ”は、一般に、単数を対象としているものと特に指定されていないか、あるいは文脈から明らかではない場合には、「１または複数」を意味すると解釈されるべきである。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭ（登録商標）は、「第３世代パートナシップ計画プロジェクト」（３ＧＰＰ）と命名された組織からのドキュメントに記述されている。それに加えて、ＣＤＭＡ２０００およびウルトラ・モバイル・ブロードバンド（ＵＭＢ）は、“第３世代パートナシップ計画２”（３ＧＰＰ２）と命名された機構からの文書に記載されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
図１は、本明細書で示されたさまざまな実施形態にしたがう無線通信システム１００を例示する。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに送信機チェーンおよび受信機チェーンを含みうる。これらのおのおのは、当業者によって理解されるように、信号の送信および受信に関連付けられた複数の構成要素（例えば、プロセッサ、変調器、マルチプレクサ、復調器、デマルチプレクサ、アンテナ・ポート等）を備えうる。
【００２５】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２７】
基地局１０２は、任意のタイプの基地局（例えばマクロ・セル基地局、ミクロ・セル基地局、ピコ・セル基地局、フェムト・セル基地局）でありうることが考慮される。モバイル・デバイス１１６、１２２おのおのは、それぞれのターゲット基地局（例えば、基地局１０２、（図示しない）別の基地局１０２）を選択するための属性を生成しうる。例示によれば、モバイル・デバイス１１６、１２２によってさまざまなアクセス制御アプローチ（例えば、オペレータによって制御されるアプローチ、ユーザおよびオペレータによって制御されるアプローチ）が導入されうる。このようなイノベーションの１または複数の態様によって、無線通信システム内の基地局１０２によって通知されるアンテナ数を決定できるようになる。アンテナ数を決定するこのような適合機能によって、基地局１０２は、総じて、利用されている無線システム１００の全体的な効率的な動作のために、レガシーＵＥおよび新たなＵＥ（例えば、ＬＴＥ−Ａ）の要件をインテリジェントにバランスさせることが可能となる。例えば、新たなユーザのパフォーマンス向上は、レガシー・ユーザのパフォーマンス低下の相殺と見なされうる。１つの態様では、まず、レガシーＵＥに通知されるアンテナ数を減らすことによって、レガシー・ユーザの基準信号（ＲＳ）のために確保された対応するリソースが、新たなＵＥによる使用のために解放されうる。これによって、レガシー・ユーザを犠牲にして、新たなユーザのパフォーマンスが向上する（例えば、レガシーＵＥのピーク・レートを犠牲にして、新たなＵＥのピーク・レートを改善する）ことができる。ここでは、無線通信システム１００内のレガシーＵＥの動作と、新たなＵＥの動作との間で、スムーズな移行がなされる。本願で使用されるように、用語「アンテナ」は、実際の物理的なアンテナを称しうる。さらに、用語「アンテナ・ポート」は、仮想アンテナ（ＵＥへ通知される物理アンテナを適用することによって生成されるビーム）を称し、ここで、ビームは、異なるゲインおよび位相回転を用いて、異なるアンテナを介して同じ信号を送信することを称する。レガシーＵＥの場合、おのおののアンテナ・ポートは、１つの共通基準信号（ＣＲＣ）ポートに対応しうることが認識されるべきである。さらに、例えば、レガシーＵＥ動作のために設定され、通知されたアンテナ・ポート数は、レガシーＵＥおよび新たなＵＥのすべての制御チャネル（共通および個別）の送信のために使用される一方、レガシーＵＥおよび新たなＵＥのデータ送信は、設定された対応するアンテナ・ポート数を適用することが認識されるべきである。
【００２８】
図２は、本明細書で示されたさまざまな態様にしたがう無線通信システム２００が例示されていることを示す。システム２００は、１または複数のセクタにおいて、互いに、および／または、１または複数のモバイル・デバイス２０４との間で、無線通信信号の受信、送信、反復等を行う１または複数の基地局２０２を備える。おのおのの基地局２０２は、複数の送信機チェーンおよび受信機チェーン（例えば、各送信アンテナおよび受信アンテナについて１つ）を備えうる。それらおのおのは、信号の送信および受信に関連付けられた複数の構成要素（例えば、プロセッサ、変調器、マルチプレクサ、復調器、デマルチプレクサ、アンテナ等）を備えうる。おのおののモバイル・デバイス２０４は、１または複数の送信機チェーンおよび受信機チェーンを備える。これらは、複数入力複数出力（ＭＩＭＯ）システムのために利用されうる。おのおのの送信機および受信機は、当業者によって理解されるように、信号の送信および受信に関連付けられた複数の構成要素（例えば、プロセッサ、変調器、マルチプレクサ、復調器、デマルチプレクサ、アンテナ等）を備えうる。
【００２９】
基地局２０２が、例えばＯＦＤＭのような別の信号フォーマットの先頭で、ある信号フォーマットの信号を送信する場合、モバイル・デバイス２０４において受信されたこの信号のサンプルの時間順序は、歪められるか、および／または、乱されうる。したがって、モバイル・デバイス２０４は、信号の検出を向上するために、サンプルされたデータの再配列、および、サンプルされた乱れたデータの破棄を行うように構成されうる。異なるタイプの信号フォーマットが利用されうるので、システム２００は、これら複数のフォーマットの適用を考慮したプラットフォームを提供しうる。したがって、システム２００は、これらフォーマットを独立には利用せず、これらフォーマットを選択的にスタックする。
【００３０】
基地局２０２はさらに、アンテナ選択構成要素２１０および調節構成要素２１１を含むアンテナ適合構成要素２１４を含む。これらは、システム要件に基づいて、アンテナ・ポートをインテリジェントにカスタマイズするために、ともに動作する。
【００３１】
アンテナ選択構成要素２１０は、アンテナ・ポート数を選択し、調節構成要素２１１は、選択されるアンテナ・ポート数を増減する。例えば、調節構成要素は、アンテナ・ポート数を、無線通信システムの要件に適合させる。
【００３２】
アンテナ・ポート数を調節する際におけるそのような適合機能によって、基地局２０２は、総じて、利用されている無線システム全体の効率的な動作のために、レガシーＵＥおよび新たなＵＥ（例えば、ＬＴＥ−Ａ）の要件をインテリジェントにバランスさせることが可能となる（例えば、新たなユーザのパフォーマンス向上は、レガシー・ユーザのパフォーマンス低下の相殺と見なされる）。しかし、無線通信システム全体の効率的な動作のために、レガシーＵＥの要件と新たなＵＥの要件とをインテリジェントにバランスさせるために、アンテナ適合構成要素は、アンテナ・ポート数を、別の方法で適合させる。同様に、アンテナ通知構成要素２２０は、利用可能なアンテナ・ポートをユーザに通知する。
【００３３】
１つの態様では、まず、通知されるアンテナ・ポート数を減らすことによって、その後、レガシー・ユーザの基準信号（ＲＳ）のために確保された対応するリソースが、新たなＵＥによって使用されるために解放されうる。したがって、レガシー・ユーザを犠牲にして、新たなユーザのパフォーマンスが向上される。ここでは、無線通信システム内のレガシーＵＥの動作と、新たなＵＥの動作との間で、スムーズな移行がなされる。そのような革新的な概念は、一般に、まず低い処理オーバヘッドを求める市場の力に反してなされる。システム要件に対して適応して適合しうる、選択されたアンテナ・ポート数を通知することに関連する処理オーバヘッドを増加させることによって、システム・リソース全体を効率的に適用することに関連する予期せぬ利益が得られることが明らかになった。このため、一般に、アンテナに関連付けられた基準信号（ＲＳ）のために確保されたリソースは、関連付けられたアンテナ・ポートが、無線システム動作の一部としてＵＥへ通知されない場合に解放される。したがって、アンテナ通知構成要素２２０は、通信システムの変化する要件に適応するために、アンテナ・ポートを通知する。
【００３４】
関連する態様によれば、アンテナ適合構成要素２１４は、無線通信システムにおいて、調節構成要素２１１によって、レガシー・ユーザ機器（ＵＥ）動作のための送信アンテナ・ポート数を設定する。そのような調節構成要素２１１はさらに、無線通信システムにおける新たなＵＥ動作のために、異なる送信アンテナ・ポート数を設定しうる。その後、アンテナ通知構成要素２２０は、無線通信システムにおけるレガシーＵＥ動作と新たなＵＥ動作のためのアンテナ・ポートを通知する。
【００３５】
特に、ＬＴＥリリース８では、送信アンテナ・ポート数は、物理ブロードキャスト・チャネル（ＰＢＣＨ）によって通知される。さらに、従来システムでは、どの可能性がうまくいくかを確認しながら、通知された異なる送信アンテナ・ポート数のために、ＰＢＣＨをブラインド復号することを試みることによって、送信アンテナ・ポート数が決定される。さらに、リリース８は、１つ、２つ、または４つの送信アンテナ・ポートを通知することをサポートする。通知されたおのおのの送信アンテナに対応する基準信号（ＲＳ）は、規格で規定されたように送信されねばならない。これは必要である。なぜなら、ＵＥは、基地局に対して、別のアンテナ・ポートで観察されているチャネル品質について通知しなければならないからである。例えば、ＵＥに適切なＭＩＭＯスキームについて決定するために、ｅノードＢによってチャンネル品質情報が適用されうる。ＲＳによって占有されるリソース数は、通知されるアンテナ・ポート数が増加すると増加する。より多くのアンテナ・ポートを通知することは、さらなるＭＩＭＯゲインを提供する可能性があるということである。しかしながら、より多くのＲＳシンボルが送信されると、システムの効率は顕著に下がる。以下は、レガシー・ユーザのために通知されるアンテナ・ポート数が少なくなると、レガシーＵＥのみならず、非レガシーＵＥのパフォーマンスも改善される典型的なシナリオを示す。
【００３６】
（８つの送信アンテナ・ポートを備えたより高次のＭＩＭＯをサポートすること）  
１つの態様では、レガシー・ユーザのために（アンテナ１および２に関連付けられた）２つの送信アンテナ・ポートが通知される設計が考慮される。その後、新たなユーザには、新たなメカニズム（例えば、ＬＴＥ−Ａにおける新たなシステム情報ブロックＳＩＢ）によって８つの送信アンテナ・ポートが通知される。このようなメカニズムは、８つの送信アンテナ・ポートをサポートするために必要となる。なぜなら、この構成は、現在、ＬＴＥリリース８ではサポートされていないからである。
【００３７】
したがって、４つのアンテナ・ポートが通知されていると仮定すると、アンテナ・ポート３および４のために使用されているリソースは、現在、アンテナ・ポート３乃至８のための低デューティ・サイクルＲＳを送信するために適用されうる。例えば、すべてのサブフレームにおいて、アンテナ・ポート３および４のためのＲＳを送信する代わりに、主題とするイノベーションは、１つのサブフレームでアンテナ・ポート３および４のためのＲＳを送信し、次のサブフレームでアンテナ・ポート５および６のためのＲＳを送信し、次のサブフレームでアンテナ・ポート７および８のためのＲＳを送信し、その後、アンテナ・ポート３および４のためのＲＳが送信される等を可能とする。そのため、レガシーＵＥは、新たなＲＳ送信に気付かず、２つの送信とのみ動作するだろう。同様に、新たなＵＥは、サブフレーム毎に、４つの送信アンテナのために、少なくともＲＳを観察し、もって、４つのＭＩＭＯ送信をサポートしうる。さらに、ＲＳは、８つすべての送信アンテナをサイクルするので、最大８つの送信アンテナを含むＭＩＭＯスキームさえもサポートしうる。したがって、レガシーＵＥのために４つの送信モードを犠牲にすることにより、オーバヘッドを増加させることなく、新たなＵＥのために８つの送信アンテナのサポートが得られうる。８つの送信をサポートする別のオプションは、他のアンテナ（５乃至８）のためにさらなるＲＳを導入することである。これらは、アンテナ１乃至４のためのＲＳとともに送信される。これはオーバヘッドを増やし、設計を非効率的および実施困難にしうる。
【００３８】
（ネットワークＭＩＭＯサポート）  
ネットワークＭＩＭＯは、同期ネットワークにおいて同時に複数のｅＮＢによって支援されるＵＥを称する。ネットワークＭＩＭＯをサポートするために、ＵＥは、複数のｅＮＢからのチャネルを推定する必要がある。ｅＮＢの物理セルＩＤに依存して、ｅＮＢのＲＳは衝突しうるので、ネットワークＭＩＭＯのためにチャネルを推定するのに十分ではない場合がある。したがって、ＭＩＭＯゲインが重要になる状況では、単に１または２の送信アンテナを通知し、対応するＲＳシーケンスを送信することが可能である。それゆえ、ネットワークＭＩＭＯのために、現在のＲＳ設計よりもより適切な新たな共通ＲＳ構成を設計するために、他のＲＳを送信しないことによって、節約されたリソースを適用することができる。
【００３９】
（支配的な干渉条件）  
範囲の拡張および制限の関連性を適用するネットワークでは、ＵＥは、支配的な干渉の存在下において弱いｅＮＢへ接続することが必要とされる状況に遭遇することが一般的である。それゆえ、通信は、一般に、支配的な干渉体と弱い基地局との間でリソースを分ける（例えば、その間のサブフレームを分割する）ことによって確立されうる。しかし、これら基地局はともに、規格によって決められたように、すべてのサブフレームでＲＳを送信する。ＵＥは、強い基地局がＲＳを送信するリソースでは、弱いｅＮＢに割り当てられたリースであっても、サービス提供ｅＮＢを傍受することができない。したがって、このようなシナリオでは、通知されたアンテナ数を適用することが有益でありうる。
【００４０】
例えば、マクロが、通知されるアンテナ・ポート数を減らすのであれば、有効通信範囲領域内のピコに利用可能なリソース数が増える。ＲＳを送信するためにマクロによって利用されるリソースは、ピコのおのおのに利用可能になる。マクロの有効通信範囲領域内に、いくつかのアクティブなピコ（ＵＥが接続しているピコ）が存在する場合、システムの全体容量が著しく増える（なぜなら、リソースは、異なるピコによって同時に使用され、これによって、マクロに接続している場合、ＭＩＭＯ機能の低下によりレガシーＵＥが一般的に遭遇する欠点を補うことができるからである）。新たなＲＳを、マクロのために確保されたリソースのみで送信することによって、新たなＵＥのために、未だにより多くの送信アンテナがサポートされうる。しかしながら、アクティブなピコがごく僅かしかない場合、マクロが、レガシーＵＥのために４つの送信をサポートすることが可能となりうる。
【００４１】
したがって、ＰＢＣＨによってレガシーＵＥのために通知されるべき送信アンテナ数の決定は、レガシーＵＥに対するＭＩＭＯゲインと、新たなＵＥおよびレガシーＵＥのパフォーマンスと、ＬＴＥ−Ａのその他の進歩した機能とに基づきうる。さらに、新たなＵＥのためのＭＩＭＯゲインを得るために、新たなＵＥに対して、異なる送信アンテナ数が通知されうる。さらに、この決定は、現在のシステム要件に基づいて適合されうる。なぜなら、（レガシーＵＥへ通知するアンテナ数の）最適な選択は、ネットワークの現在の設定に依存するからである。例えば、基地局の有効通信範囲領域内にレガシーＵＥしか存在しない場合、レガシーＵＥに対して４つのアンテナが通知され、４つすべてのアンテナのためにＲＳが送信されうる。
【００４２】
実質的にほとんどレガシーＵＥが存在しない場合、レガシーＵＥに対して１つの送信アンテナしか通知されない。例えば、ＬＴＥにおいて送信アンテナ数を適合させる１つの方式は、ｅＮＢで変更を行い、すべてのＵＥに対してページを行い、このようなシステム情報変更について通知することである。主題とするイノベーションはさらに、レガシー・ユーザのために通知される送信アンテナ数を減らすことによって、発展型ＬＴＥ（例えば、８×８ＭＩＭＯ）の設計を最適化する。
【００４３】
図３は、システム要求に適合させるためにアンテナ・ポート数を調節するための関連方法３００を例示する。この典型的な方法は、本明細書では、さまざまなイベントおよび／または動作を表す連続したブロックとして例示および説明されているが、主題とするイノベーションは、このように例示されたブロックの順序に限定されない。例えば、いくつかの動作あるいはイベントは、本イノベーションにしたがって、本明細書に例示された順序と異なり、別の順序で、および／または、他の動作またはイベントと同時に生じうる。さらに、例示されたすべてのブロック、イベント、または動作が、主題とするイノベーションにしたがって方法を実施することを要求されている訳ではない。さらに、本イノベーションにしたがう典型的な方法およびその他の方法は、本明細書に例示および記載された方法と連携して実施されるのみならず、例示も記載もされていないその他のシステムおよび装置と連携して実施されうることが認識されよう。まず、３１０において、基地局は、無線システムにおいて利用可能なユーザおよび関連する情報を判定する。これら情報は、ユーザのタイプ（例えば、レガシー、ＬＴＥ−Ａ）、レガシー・ユーザの数、新たなユーザの数（例えば、おのおののユーザ・タイプの数）、基地局に対する相対位置、与えられたアンテナ数に基づく各タイプに期待されるパフォーマンス、交換される情報のタイプ、ＱｏＳ、ＵＥの送信アンテナ数、等に関連しうる。これら収集された情報に基づいて、３２０において、基地局は、計算または推論によって、（例えば、レガシー・ユーザのために）通知されるべきアンテナ・ポート数を決定しうる。推論はさらに、確率論的、すなわち、データおよびイベントの考慮に基づく、対象状態にわたる確率分布の計算でありうる。推論はまた、イベントおよび／またはデータのセットから、より高いレベルのイベントを構築するために適用される技術を称することができる。ユーザが、無線ネットワークに出入りすると、および／または、要件が変わると、システム要件に適合させるために、通知されるアンテナ・ポート数が変わりうる。その後、システムは、ユーザに対して、利用可能なアンテナ・ポート数について通知（例えば、ページによる通知、サーバを経由した通知等）しうる。本明細書に使用されるように、用語「推論」は一般に、イベントおよび／またはデータによって得られた観察のセットから、システム、環境、および／またはユーザの状態の推論、または、それに関する推理のプロセスを称する。推論は、特定のコンテキストまたは動作を特定するために適用されるか、あるいは、例えば状態にわたる確率分布を生成しうる。３３０では、アンテナ・ポートが通知され、３４０では、システム要件の変化に応じて、この数が調節される。
【００４４】
図４は、アンテナ・ポート数を決定する際における適合機能を可能にする典型的な通信システム４００を例示する。アンテナ数を決定するこのような適合機能によって、基地局（単数または複数）は、総じて、利用されている無線システム４００全体の効率的な動作のために、レガシーＵＥおよび新たなＵＥ（例えば、ＬＴＥ−Ａ）の要件をインテリジェントにバランスさせることが可能となる（例えば、新たなユーザのパフォーマンス向上は、レガシー・ユーザのパフォーマンス低下の相殺と見なされる）。１つの態様では、まず、通知されるアンテナ・ポートの数を減らすことによって、その後、レガシー・ユーザの基準信号（ＲＳ）のために確保された対応するリソースが、ネットワーク環境内のアクセス・ポイント基地局（例えば、フェムト・セル基地局）の新たなＵＥ配置による使用のために解放されうる。図４に示すように、システム４００は、複数のフェムト・セル基地局を含みうる。これらは、アクセス・ポイント基地局、ホーム発展型ノードＢユニット（ＨｅＮＢ）、ホーム・ノードＢユニット（ＨＮＢ）、フェムト・セル等とも称されうる。例えば、フェムト・セル基地局（ＨｅＮＢ４１０）のおのおのは、例えば１または複数のユーザ住宅４３０のような、対応する小規模ネットワーク環境に配置され、外部のみならず関連するモバイル・デバイス（単数または複数）４２０にサービス提供するように構成されうる。おのおののＨｅＮＢ４１０はさらに、（図示しない）ＤＳＬルータや、あるいは、（図示しない）ケーブル・モデムによって、インターネット４４０およびモバイル・オペレータ・コア・ネットワーク４５０に接続される。
【００４５】
本明細書に記載された実施形態は、３ＧＰＰ用語を使用しているが、これら実施形態は、３ＧＰＰ（リリース９９、リリース５、リリース６、リリース７）技術のみならず、３ＧＰＰ２（１×ＲＴＴ、１×ＥＶ−ＤＯ  リリース０、改訂Ａ、改訂Ｂ）技術、およびその他の周知ならびに関連する技術にも適用されることが理解されるべきである。本明細書に記載されたそのような実施形態では、ＨｅＮＢ４１０の所有者は、モバイル・オペレータ・コア・ネットワーク４５０によって提供された、例えば３Ｇモバイル・サービスのようなモバイル・サービスに加入し、モバイル・デバイス４２０は、マクロ・セル基地局４６０を経由したマクロ・セルラ環境における動作と、住宅小規模ネットワーク環境における動作とのの両方を行うことが可能でありうる。したがって、ＨｅＮＢ４１０は、既存の任意のモバイル・デバイス４２０との下位互換性がありうる。
【００４６】
ＨｅＮＢ４１０は、ＣＳＧ  ＨｅＮＢ、ハイブリッドＨｅＮＢ、および／または、オープンＨｅＮＢを含みうることが考慮される。ＨｅＮＢ４１０はおのおの、アンテナ・ポートの各セットを通知し、無線システムにおいて利用可能なユーザと、関連する情報とを決定しうる。これら情報は、ユーザのタイプ（例えば、レガシー、ＬＴＥ−Ａ）、各タイプのユーザ数、基地局に対する相対位置、与えられたアンテナ・ポート数に基づく各タイプに期待されるパフォーマンス、交換される情報のタイプ、ＱｏＳ、ＵＥの送信アンテナ数、等に関連しうる。その後、収集された情報に基づいて、基地局は、例えば計算や推論によって、（例えばレガシー・ユーザのために）通知されるべきアンテナ・ポート数を決定しうる。推論はさらに、確率論的、すなわち、データおよびイベントの考慮に基づく、対象状態にわたる確率分布の計算でありうる。推論はまた、イベントおよび／またはデータのセットから、より高いレベルのイベントを構築するために適用される技術を称することができる。ユーザが無線ネットワークに出入りしたり、および／または、要件が変化すると、システム要件に適合させるために、通知されるアンテナ・ポート数が変化する。その後、ユーザは、利用可能なアンテナ・ポート数を通知（例えば、ページング、サーバを経由した通知）されうる。
【００４７】
図５は、主題とするイノベーションの適合機能を組み込んだ典型的な無線通信システム５００を例示する。無線通信システム５００は、簡潔さの目的で、１つの基地局５１０と１つのモバイル・デバイス５５０とを示している。しかしながら、システム５００は、１より多い基地局、および／または、１より多いモバイル・デバイスを含むことができ、これら追加の基地局および／またはモバイル・デバイスは、以下に説明する基地局５１０およびモバイル・デバイス５５０の例と実質的に同じでも、別のものでもありうることが認識されるべきである。さらに、基地局５１０および／またはモバイル・デバイス５５０は、その間の無線通信を容易にするために、本明細書に記載されたシステムおよび／または方法を適用しうる。
【００４８】
基地局５１０では、多くのデータ・ストリームのためのトラフィック・データが、データ・ソース５１２から送信（ＴＸ）データ・プロセッサ５１４へ提供される。一例によれば、おのおののデータ・ストリームが、それぞれのアンテナを介して送信される。ＴＸデータ・プロセッサ５１４は、トラフィック・データ・ストリームをフォーマットし、このデータ・ストリームのために選択された特定の符合化スキームに基づいて符号化し、インタリーブして、符合化されたデータを提供する。
【００４９】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス５５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ５３０によって実行または提供される指示によって決定されうる。
【００５０】
データ・ストリームの変調シンボルは、（例えば、ＯＦＤＭのために）変調シンボルを処理するＴＸ  ＭＩＭＯプロセッサ５２０に提供される。その後、ＴＸ  ＭＩＭＯプロセッサ５２０は、その後、ＮＴ個の変調シンボル・ストリームを、ＮＴ個の送信機（ＴＭＴＲ）５２２ａ乃至５２２ｔへ提供する。さまざまな実施形態において、ＴＸ  ＭＩＭＯプロセッサ５２０は、データ・ストリームのシンボル、および、そのシンボルが送信されるアンテナへ、ビームフォーミング重みを適用する。
【００５１】
おのおのの送信機５２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機５２２ａ乃至５２２ｔからのＮＴ個の変調信号が、ＮＴ個のアンテナ・ポート５２４ａ乃至５２４ｔからそれぞれ送信される。
【００５２】
モバイル・デバイス５５０では、送信された変調信号が、ＮＲ個のアンテナ・ポート５５２ａ乃至５５２ｒによって受信され、各アンテナ５５２から受信された信号が、それぞれの受信機（ＲＣＶＲ）５５４ａ乃至５５４ｒへ提供される。おのおのの受信機５５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５３】
ＲＸデータ・プロセッサ５６０は、ＮＲ個の受信機５５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ５６０は、検出されたおのおののシンボル・ストリームを復調し、デインタリーブし、復号して、そのデータ・ストリームのためのトラフィック・データを復元する。ＲＸデータ・プロセッサ５６０による処理は、基地局５１０におけるＴＸ  ＭＩＭＯプロセッサ５２０およびＴＸデータ・プロセッサ５１４によって実行されるものと相補的である。プロセッサ５７０は、上述したように、どの事前符号化行列を使用するのかを定期的に決定しうる。さらに、プロセッサ５７０は、行列インデクス部およびランク値部を備えた逆方向リンク・メッセージを規定することができる。
【００５４】
逆方向リンク・メッセージは、通信リンクおよび／または受信されたデータ・ストリームに関するさまざまなタイプの情報を備えうる。逆方向リンク・メッセージは、データ・ソース５３６から多くのデータ・ストリームのトラフィック・データの受信も行うＴＸデータ・プロセッサ５３８によって処理され、変調器５８０によって変調され、送信機５５４ａ乃至５５４ｒによって調整され、基地局５１０へ送り戻される。
【００５５】
基地局５１０では、モバイル・デバイス５５０からの変調信号が、アンテナ・ポート５２４によって受信され、受信機５２２によって調整され、復調器５４０によって復調され、ＲＸデータ・プロセッサ５４２によって処理されることにより、モバイル・デバイス５５０によって送信された逆方向リンク・メッセージが抽出される。さらに、プロセッサ５３０は、ビームフォーミング重みを決定するためにどの事前符合化行列を使用するかを決定するために、この抽出されたメッセージを処理する。
【００５６】
プロセッサ５３０およびプロセッサ５７０は、基地局５１０およびモバイル・デバイス５５０それぞれにおける動作を指示（例えば、制御、調整、管理など）する。プロセッサ５３０およびプロセッサ５７０はそれぞれ、プログラム・コードおよびデータを格納するメモリ５３２およびメモリ５７２に関連付けられうる。プロセッサ５３０およびプロセッサ５７０はまた、アップリンクおよびダウンリンクそれぞれのための周波数およびインパルス応答推定値を導出する計算をも実行する。
【００５７】
図６は、主題とするイノベーションの態様にしたがってアンテナ・ポート数を調節することにより、リソースを分配する柔軟性を提供するシステム６００を図示する。システム６００は、例えば、基地局内に部分的に存在しうる。図示するように、システム６００は、プロセッサ、ソフトウェア、または（例えば、ファームウェアのような）これらの組み合わせによって実現される機能を表しうる。システム６００は、連携して動作しうる電子構成要素の論理グループ６０２を含む。論理グループ６０４は、アンテナ・ポート数を、ユーザ要件に適合させるための電子構成要素（例えば、適合手段）を含みうる。そのような論理グループ６０４はさらに、既に説明したように、アンテナ・ポート数を選択するための論理グループ６０８（例えば、選択手段）と、アンテナ・ポート数をシステム要件に調節するための論理グループ（例えば、調節手段）６０９とを含む。例えば、論理グループ６０９は、レガシー・ユーザ機器(ＵＥ）動作のために、送信アンテナ・ポート数を設定し、さらに、新たなＵＥ動作のために、異なる送信アンテナ・ポート数を設定する。ここで、論理グループ６０６（例えば、通知手段）は、その後、無線通信システムにおけるレガシーＵＥ動作および新たなＵＥ動作のための各アンテナ・ポートの通知および／または送信を行いうる。
【００５８】
同様に、論理グループ６０６は、アンテナ・ポートをＵＥへ通知するための電子構成要素を含む。それゆえ、基地局は、総じて、利用されている無線システム全体の効率的な動作のために、レガシーＵＥおよび新たなＵＥ（例えば、ＬＴＥ−Ａ）の要件をインテリジェントにバランスさせうる（例えば、新たなユーザのパフォーマンス向上は、レガシー・ユーザのパフォーマンス低下の相殺と見なされる）。
【００５９】
例えば、まず、通知されるアンテナ・ポートの数を減らすことによって、その後、レガシー・ユーザの基準信号（ＲＳ）のために確保された対応するリソースが、新たなＵＥによる使用のために解放されうる。したがって、レガシー・ユーザを犠牲にして、新たなユーザのパフォーマンスが向上されうる。ここでは、無線通信システム内のレガシーＵＥの動作と、新たなＵＥの動作との間で、スムーズな移行がなされる。
【００６０】
さらに、論理グループ６０２は、電子構成要素６０４、６０６に関連付けられた機能を実行するための命令群を保持するメモリ６１０を含みうる。メモリ６１０の外部にあると示されているが、電子構成要素６０４、６０６は、メモリ６１０の内部に存在しうることが理解されるべきである。
【００６１】
図７は、無線通信環境において、アンテナ・ポート数を適合させることを可能にするシステム７００の例示である。システム７００は、複数の受信アンテナ７０６によって１または複数のモバイル・デバイス７０４から信号を受信する受信機７１０と、送信アンテナ７０８を介して１または複数のモバイル・デバイス７０４へ送信する送信機７２４とを備える、基地局７０２（例えば、アクセス・ポイント）を備える。受信機７１０は、受信アンテナ７０６から情報を受信する。さらに、受信した情報を復調する復調器７１２と動作可能に関連付けられている。復調されたシンボルは、前述したプロセッサに類似しうるプロセッサ７１４によって分析される。このプロセッサは、モバイル・デバイスとの間で送受信されるデータ、および／または、本明細書に記載されたさまざまな動作および機能を実行することに関連するその他任意の情報を格納するメモリ７１６に接続されている。プロセッサ７１４はさらに、アンテナ適合構成要素７１８および通知構成要素７２０に接続されている。既に説明したように、アンテナ適合構成要素７１８は、総じて、利用されている無線システム全体の効率的な動作のために、基地局（単数または複数）が、レガシーＵＥおよび新たなＵＥ（例えば、ＬＴＥ−Ａ）の要件をインテリジェントにバランスさせることを可能にする（例えば、新たなユーザのパフォーマンス向上は、レガシー・ユーザのパフォーマンス低下の相殺と見なされる）。通知構成要素７２０は、決定されたアンテナ・ポート数をシステムに通知しうる。
【００６２】
基地局７０２はさらに、変調器７２２を含みうる。変調器７２２は、前述した記載にしたがって、送信機７２４によってアンテナ７０８を介してモバイル・デバイス（単数または複数）７０４へ送信されるフレームを多重化しうる。プロセッサ７１４と別に示されているが、アイデンティティ通知構成要素７１８、モード公表構成要素７２０、および／または変調器７２２は、プロセッサ７１４または複数のプロセッサ（図示せず）のうちの一部でありうることが認識されるべきである。
【００６３】
図８は、通信環境においてアンテナ・ポート数を適合させるための主題とするイノベーションの関連する態様にしたがう特定の方法８００を例示する。方法８００によれば、まず、８１０において、通知されるアンテナ・ポート数を低減することによって、レガシー・ユーザの基準信号（ＲＳ）に確保された対応するリソースはその後、８２０において、新たなＵＥによる使用のために解放されうる。それゆえ、レガシー・ユーザを犠牲にして、新たなユーザのパフォーマンスが向上されうる。ここでは、無線通信システム内のレガシーＵＥの動作と、新たなＵＥの動作との間で、スムーズな移行がなされる。
【００６４】
それゆえ、アンテナに関連付けられた基準信号（ＲＳ）のために一般に確保されているリソースは、アンテナ・ポートがＵＥへ通信されない場合、無線通信動作の一部として解放されうる。１つの特定の態様によれば、送信アンテナ・ポート数が、既存のメカニズムを用いて、（例えば、ＬＴＥにおけるＰＢＣＨによって）レガシーＵＥへ通知され、より多くの送信アンテナ・ポート数が、別のメカニズムを用いて、新たなＵＥへ通知される。
【００６５】
図９は、主題とするイノベーションのさらなる態様にしたがうモバイル・デバイスを図示する。モバイル・デバイス９００は、例えば、受信アンテナ（図示せず）から信号を受信し、受信した信号に対して典型的な動作（例えば、フィルタ、増幅、ダウンコンバート等）を実行し、これら調整された信号をデジタル化して、サンプルを取得する受信機９０２を備える。受信機９０２は、例えばＭＭＳＥ受信機であり、受信したシンボルを復調し、それらをチャネル推定のためにプロセッサ９０６へ送る復調器９０４を備えうる。例によれば、受信機９０２は、基地局の識別の後に、通知された信号を取得しうる。プロセッサ９０６は、受信機９０２によって受信された情報の分析、および／または、送信機９１６による送信のための情報の生成に特化されたプロセッサ、モバイル・デバイス９００の１または複数の構成要素を制御するプロセッサ、および／または、受信機９０２によって受信された情報を分析し、送信機９１６による送信のための情報を生成し、モバイル・デバイス９００の１または複数の構成要素を制御するプロセッサでありうる。
【００６６】
モバイル・デバイス９００は、プロセッサ９０６に動作可能に接続されたメモリ９０８を備えうる。このメモリ９０８は、送信されるべきデータ、受信されたデータ、本明細書に記載されたさまざまな動作および機能を実行することに関連するその他任意の適切な情報を格納しうる。メモリ９０８は、例えば、無線通信システムにおける基地局によって通知されるアンテナ・ポート数を適合させることに関連する取得された信号を分析することに関連付けられたプロトコルおよび／またはアルゴリズムを格納しうる。アンテナ・ポート数を決定する際におけるそのような適合機能によって、基地局は、総じて、利用されている無線システム全体の効率的な動作のために、基地局（単数または複数）が、レガシーＵＥおよび新たなＵＥ（例えば、ＬＴＥ−Ａ）の要件をインテリジェントにバランスさせることを可能にする。さらに、メモリ９０８は、新たなユーザのパフォーマンス向上を、レガシー・ユーザのパフォーマンス低下の相殺としてバランスさせることに関連付けられたプロトコルおよび／またはアルゴリズムを格納しうる。
【００６７】
本明細書に記載されたデータ・ストア（例えば、メモリ９０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ９０８は、限定される訳ではないが、これらおよびその他任意の適切なタイプのメモリを備えることが意図される。プロセッサ９０６と別に示されているが、変調器９１４は、プロセッサ９０６または多くのプロセッサ（図示せず）の一部でありうることが認識されるべきである。
【００６８】
図１０は、さまざま適合態様が実施され、多くのユーザをサポートするように構成された典型的な無線通信システム１０００を例示する。システム１０００は、例えばマクロ・セル１００２ａ−１００２ｇのような複数のセル１００２のために通信を提供する。マクロ・セル１００２ａ−１００２ｇはそれぞれ、対応するアクセス・ポイント１００４（例えば、アクセス・ポイント１００４ａ−１００４ｇ）によってサービス提供される。セル１００２ａ−１００２ｇはそれぞれ、１または複数のセクタにさらに分割されうる。（デバイス１００６ａ−１００６ｋを含む）さまざまなデバイス１００６が、システム１０００全体にわたって分散されている。デバイス１００６はそれぞれ、例えば、デバイス１００６がアクティブであるか、デバイス１００６がソフト・ハンドオフにあるかに依存して、所与の瞬間において、順方向リンク（ＦＬ）および／または逆方向リンク（ＲＬ）によって、１または複数のアクセス・ポイント１０４と通信することができる。無線通信システム１０００は、大規模な地理的領域にわたってサービスを提供することができ、例えば、マクロ・セル１００２ａ−１００２ｇは、無線通信システム内の基地局によって通知されるアンテナ・ポート数を適合させながら、近隣の数ブロックをカバーすることができる。そのため、システム１０００は、アクセス・ポートによって通知されるアンテナ・ポート数を適合させることと、総じて、利用されている無線システム全体の効率的な動作のために、レガシーＵＥおよび新たなＵＥ（例えば、ＬＴＥ−Ａ）の要件をインテリジェントにバランスさせることとを可能にする。例えば、通知されるアンテナ・ポート数を減らすことをマクロが決定した場合、マクロは、有効通信範囲領域内のピコに利用可能なリソース数を増加させることができる。ＲＳを送信するためにマクロによって利用されるリソースは、ピコのおのおのに利用可能となる。
【００６９】
別の例では、新たなユーザのパフォーマンス向上は、レガシー・ユーザのパフォーマンス低下の相殺と見なされる。さらに、アクセス・ポイント１００４は、無線システム１０００において利用可能なユーザ１００６と、関連する情報とを決定しうる。これら情報は、ユーザのタイプ（例えば、レガシー、ＬＴＥ−Ａ）、各タイプのユーザ数、基地局に対する相対位置、与えられたアンテナ・ポート数に基づく各タイプに期待されるパフォーマンス、交換される情報のタイプ、ＱｏＳ、ＵＥの送信アンテナ数、等に関連しうる。その後、これら収集された情報に基づいて、アクセス・ポイント１００４は、例えば計算や推論によって、（例えばレガシー・ユーザのために）通知されるべきアンテナ・ポート数を決定しうる。推論はさらに、確率論的、すなわち、データおよびイベントの考慮に基づく、対象状態にわたる確率分布の計算でありうる。推論はまた、イベントおよび／またはデータのセットから、より高いレベルのイベントを構築するために適用される技術を称することができる。ユーザが無線ネットワークに出入りしたり、および／または、要件が変化すると、システム要件に適合させるために、通知されるアンテナ・ポート数が変化する。その後、ユーザは、利用可能なアンテナ・ポート数を通知（例えば、ページング、サーバを経由した通知）されうる。
【００７０】
図１１は、本明細書で提供されるさまざまな態様にしたがう通信システムにおいて、アンテナ・ポート数を適合させるためのシステム１１００のブロック図である。１つの例において、システム１１００は、１または複数の基地局１１１０および１または複数の端末１１４０を含みうる。これらは、それぞれのアンテナ１１１８、１１４８を介して互いに通信しうる。アンテナ１１４８に関連付けられたアンテナ・ポート数は、アンテナ適合構成要素１１６６によって、ユーザまたは端末のタイプ（例えば、レガシー、ＬＴＥ−Ａ）に基づいて適合されうる。ユーザが無線ネットワークに出入りしたり、および／または、要件が変化すると、通知されるアンテナ・ポート数は、システム要件に適合するように変化する。その後、ユーザは、利用可能なアンテナ数を通知（例えば、ページ、サーバによる通知）されうる。例えば、送信アンテナ・ポート数が、既存のメカニズムを用いて、（例えば、ＬＴＥにおけるＰＢＣＨによって）レガシーＵＥへ通知され、より多くの送信アンテナ・ポート数が、別のメカニズムを用いて、新たなＵＥへ通知される。システム１１００において、１つの基地局１１１０および端末１１４０しか例示されていないが、システム１１００は、おのおの任意の数のアンテナ・ポート１１１８および／または１１４８を利用しうる任意の数の基地局１１１０および／または端末１１４０を含みうることが認識されうる。
【００７１】
１つの態様によれば、基地局１１１０は、以下のような方式で、データ、制御シグナリング、および／または、その他の情報を通信しうる。まず、基地局１１１０におけるデータ・ソース１１１２が、１または複数の端末１１４０へ通信されるべき情報を生成および／または提供しうる。１つの例において、データ・ソース１１１２は、アプリケーション・データを提供する１または複数の上部レイヤ・アプリケーション、電力制御および／またはスケジューリング情報を提供するネットワーク・コントローラ、および／または、通信のためのその他任意の情報を端末１１４０へ提供するその他任意の適切なエンティティに関連付けられうる。別の例では、情報が、データ・ソース１１１２によって、例えば、パケット・データ収束プロトコル（ＰＤＣＰ）サービス・データ・ユニット（ＳＤＵ）等のような一連のパケットとして提供されうる。
【００７２】
データ・ソース１１１２によって提供される情報はその後、送信（Ｔｘ）バッファ１１１４によって受信され、ここで、送信機１１１６によるペンディングの送信が格納される。１つの例において、送信機１１１６によって送信された情報は、アンテナ１１１８を介して、信号として端末１１４０へ伝送される。ここで、この信号は、アンテナ１１４８によって受信機１１５０によって受信されうる。端末１１４０において受信されたデータは、その後、データ・シンク１１５２へ提供される。データ・シンク１１５２は、端末１１４０における上位レベル・アプリケーション、端末１１４０のデバイス・コントローラ等に関連付けられうる。
【００７３】
さらに、および／または、その代わりに、端末１１４０は、上述したものと同様にして、データ・ソース１１４２、Ｔｘバッファ１１４４、送信機１１４６、およびアンテナ１１４８を用いて、基地局１１１０へ情報を通信しうる。端末１１４０によって送信された情報はその後、端末１１４０におけるアンテナ１１４８、受信機１１５０、およびデータ・シンク１１５２に関連して上述したものと同様に、アンテナ１１１８、受信機１１２０、およびデータ・シンク１１２２を経由して基地局１１１０によって受信されうる。１つの例において、基地局１１１０はさらに、上述したような基地局の構成要素のうちの１または複数の機能として動作するか、および／または、これら構成要素を実現するために、プロセッサ１１３０および／またはメモリ１１３２を利用しうる。システム１１００がさらに例示するように、端末１１４０も同様にプロセッサ１１６０および／またはメモリ１１６２を利用しうる。
【００７４】
図１２は、方法１２００を例示する。これは、１２１０において、無線通信システムにおいて、レガシー・ユーザ機器（ＵＥ）動作のための送信アンテナ・ポート数を設定することで始まる。その後、方法１２００は、１２２０において、無線通信システムにおいて、新たなＵＥ動作のために異なるアンテナ・ポート数を設定することに進む。次に、方法１２００は、１２３０において、無線通信システムにおける新たなＵＥ動作のためのアンテナ・ポートと、レガシーＵＥ動作のための送信アンテナ・ポートとを通知することに進む。１２４０では、方法１２００は、レガシーＵＥおよび新たなＵＥのおのおののために、対応するアンテナ・ポートを介してデータを送信することに進む。
【００７５】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００７６】
さらに、本明細書に開示された態様に関して記述された方法またはアルゴリズムのステップおよび／または動作は、ハードウェアによって直接的に、プロセッサによって実行されるソフトウェア・モジュールで、あるいは、これら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。それに加えて、いくつかの態様では、方法またはアルゴリズムのステップおよび／または動作が、コンピュータ・プログラム製品に組み込まれうるマシン読取可能媒体および／またはコンピュータ読取可能媒体における命令群および／またはコードのうちの１つまたは任意の組み合わせまたはセットとして存在しうる。
【００７７】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００７８】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2014060748.tif 000003
【図２】
2014060748.tif 000004
【図３】
2014060748.tif 000005
【図４】
2014060748.tif 000006
【図５】
2014060748.tif 000007
【図６】
2014060748.tif 000008
【図７】
2014060748.tif 000009
【図８】
2014060748.tif 000010
【図９】
2014060748.tif 000011
【図１０】
2014060748.tif 000012
【図１１】
2014060748.tif 000013
【図１２】
2014060748.tif 000014
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
無線通信システムにおいて使用される方法であって、
前記無線通信システムにおけるレガシー・ユーザ機器（ＵＥ）動作のための送信アンテナ・ポート数を設定することと、
前記無線通信システムにおける新たなＵＥ動作のための異なる送信アンテナ・ポート数を設定することと、
前記無線通信システムで、レガシーＵＥ動作のための送信アンテナ・ポートと、新たなＵＥ動作のための送信アンテナ・ポートとを通知することと
を備える方法。
【手続補正２】
【補正対象書類名】明細書
【補正対象項目名】００７８
【補正方法】変更
【補正の内容】
【００７８】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、出願当初の特許請求の範囲に記載された発明を付記する。
［発明１］
無線通信システムにおいて使用される方法であって、
前記無線通信システムにおけるレガシー・ユーザ機器（ＵＥ）動作のための送信アンテナ・ポート数を設定することと、
前記無線通信システムにおける新たなＵＥ動作のための異なる送信アンテナ・ポート数を設定することと、
前記無線通信システムで、レガシーＵＥ動作のための送信アンテナ・ポートと、新たなＵＥ動作のための送信アンテナ・ポートとを通知することと
を備える方法。
［発明２］
前記通知することは、共通制御チャネルを介してなされる発明１に記載の方法。
［発明３］
前記通知することは、ロング・ターム・イボリューション（ＬＴＥ）において物理ブロードキャスト・チャネル（ＰＢＣＨ）を介してなされる発明１に記載の方法。
［発明４］
すべての制御チャネルを、レガシーＵＥ動作のために、前記送信アンテナ・ポートを介して送信することをさらに備える発明１に記載の方法。
［発明５］
レガシーＵＥおよび新たなＵＥのおのおののデータを、対応するそれぞれの送信アンテナ・ポートを介して送信することをさらに備える発明１に記載の方法。
［発明６］
新たなＵＥ動作のための異なる送信アンテナ・ポート数は、レガシーＵＥ動作のための送信アンテナ・ポート数よりも多い発明１に記載の方法。
［発明７］
前記レガシーＵＥのピーク・レートを犠牲にして、前記新たなＵＥのピーク・レートを改善することをさらに備える発明５に記載の方法。
［発明８］
前記新たなＵＥによる使用のため、基準信号（ＲＳ）用に確保されたリソースを解放するために、レガシーＵＥについて通知されるアンテナ・ポート数を低減することをさらに備える発明１に記載の方法。
［発明９］
レガシー・ユーザの数、新たなユーザの数、基地局に対するユーザの位置、ユーザについて期待されるパフォーマンス、タイプ交換されたデータ、ＱｏＳ、受信アンテナ機能またはＵＥ機能、または、これらの組み合わせ、を収集することに基づいてアンテナ・ポートを決定することをさらに備える発明６に記載の方法。
［発明１０］
発明１に記載の方法を実行するように構成された電子デバイス。
［発明１１］
無線通信装置であって、
無線通信システムにおけるレガシー・ユーザ機器（ＵＥ）動作のための送信アンテナ・ポート数を設定し、
前記無線通信システムにおける新たなＵＥ動作のための異なる送信アンテナ・ポート数を設定し、
前記無線通信システムで、レガシーＵＥ動作のための送信アンテナ・ポートと、新たなＵＥ動作のための送信アンテナ・ポートとを通知する
ように構成された少なくとも１つのプロセッサを備える無線通信装置。
［発明１２］
コンピュータ読取可能媒体を備えるコンピュータ・プログラム製品であって、
前記コンピュータ読取可能媒体は、
少なくとも１つのコンピュータに対して、無線通信システムにおけるレガシー・ユーザ機器（ＵＥ）動作のための送信アンテナ・ポート数と、新たなＵＥ動作のための異なる送信アンテナ・ポート数とを設定させるためのコードと、
少なくとも１つのコンピュータに対して、前記無線通信システムでアンテナ・ポートを通知させるためのコードと
を備えるコンピュータ・プログラム製品。
［発明１３］
装置であって、
無線通信システムにおけるレガシー・ユーザ機器（ＵＥ）動作のための送信アンテナ・ポート数と、新たなＵＥ動作のための異なる送信アンテナ・ポート数とを設定するアンテナ適合構成要素と、
前記無線通信システムでアンテナ・ポートを通知するアンテナ通知構成要素と
を備える装置。
［発明１４］
無線通信システムで使用される方法であって、
前記無線通信システムの全体の効率的な動作のために、レガシー・ユーザ機器（ＵＥ）の要件と新たなＵＥの要件との間をインテリジェントにバランスさせるようにアンテナ・ポート数を適合させることと、
前記無線通信システムでアンテナ・ポートを通知することと
を備える方法。
［発明１５］
無線通信装置であって、
無線通信システムの全体の効率的な動作のために、レガシー・ユーザ機器（ＵＥ）の要件と、新たなＵＥの要件との間をインテリジェントにバランスさせるようにアンテナ・ポート数を適合させ、
前記無線通信システムでアンテナ・ポートを通知する
ように構成された少なくとも１つのプロセッサを備える無線通信装置。
［発明１６］
前記少なくとも１つのプロセッサはさらに、前記アンテナ・ポートを、ロング・ターム・イボリューション（ＬＴＥ）において物理ブロードキャスト・チャネル（ＰＢＣＨ）を介してレガシーＵＥへ通知するように構成された発明１５に記載の無線通信装置。
［発明１７］
前記少なくとも１つのプロセッサはさらに、レガシーＵＥの基準信号（ＲＳ）用に確保されたリソースを解放するために、アンテナ・ポート数を低減するように構成された発明１５に記載の無線通信装置。
［発明１８］
前記少なくとも１つのプロセッサはさらに、前記レガシーＵＥを犠牲にして、新たなＵＥのパフォーマンスを改善するように構成された発明１７に記載の無線通信装置。
［発明１９］
前記少なくとも１つのプロセッサはさらに、利用可能なユーザ数を、確率論的推論に基づいて決定するように構成された発明１５に記載の無線通信装置。
［発明２０］
前記少なくとも１つのプロセッサはさらに、前記無線通信システムに出入りするユーザに基づいて、アンテナ・ポート数を変更するように構成された発明１９に記載の無線通信装置。
［発明２１］
前記少なくとも１つのプロセッサはさらに、前記ユーザに対して、利用可能なアンテナ・ポート数について通知するように構成された発明２０に記載の無線通信装置。
［発明２２］
前記少なくとも１つのプロセッサはさらに、レガシー・ユーザの数、新たなユーザの数、基地局に対するユーザの位置、ユーザについて期待されるパフォーマンス、タイプ交換されたデータ、サービス品質（ＱｏＳ）、受信アンテナ機能またはＵＥ機能、または、これらの組み合わせ、を収集するように構成された発明２０に記載の無線通信装置。
［発明２３］
前記少なくとも１つのプロセッサはさらに、前記新たなＵＥへ、システム情報ブロック（ＳＩＢ）によってアンテナ・ポートを通知するように構成された発明２０に記載の無線通信装置。
［発明２４］
装置であって、
無線通信システムの全体の効率的な動作のために、レガシー・ユーザ機器（ＵＥ）の要件と、新たなＵＥの要件との間をインテリジェントにバランスさせるようにアンテナ・ポート数を適合させる適合手段と、
前記無線通信システムでアンテナ・ポートを通知する通知手段と
を備える装置。
［発明２５］
前記適合手段はさらに、アンテナ・ポートの数を選択する手段を備える発明２４に記載の装置。
［発明２６］
前記適合手段はさらに、前記アンテナ・ポート数を、前記無線通信システムの要件に適合させる手段を備える発明２５に記載の装置。
［発明２７］
前記適合手段は、レガシー・ユーザの基準信号（ＲＳ）用に確保されたリソースを解放するために、前記アンテナ・ポート数を低減する発明２５に記載の装置。
［発明２８］
前記適合手段は、前記レガシーＵＥを犠牲にして、前記新たなＵＥのパフォーマンスを改善する発明２５に記載の装置。
［発明２９］
前記適合手段は、利用可能なユーザ数を、確率論的推論に基づいて決定する発明２５に記載の装置。
［発明３０］
前記適合手段は、前記無線通信システムに出入りするユーザに基づいて、通知されるアンテナ・ポート数を変更する発明２５に記載の装置。
［発明３１］
前記通知手段は、ユーザに対して、利用可能なアンテナ・ポート数について通知する発明２６に記載の装置。
［発明３２］
コンピュータ読取可能媒体を備えるコンピュータ・プログラム製品であって、
前記コンピュータ読取可能媒体は、
少なくとも１つのコンピュータに対して、アンテナ・ポート数を適合させ、無線通信システムの全体の効率的な動作のために、少なくとも１つのコンピュータに対して、レガシー・ユーザ機器（ＵＥ）の要件と、新たなＵＥの要件との間をインテリジェントにバランスさせるためのコードと、
少なくとも１つのコンピュータに対して、前記無線通信システムでアンテナ・ポートを通知させるためのコードと
を備えるコンピュータ・プログラム製品。
［発明３３］
前記コンピュータ読取可能媒体はさらに、少なくとも１つのコンピュータに対して、レガシー・ユーザの基準信号（ＲＳ）用に確保されたリソースを解放するために、前記アンテナ・ポート数を低減させるためのコードを備える発明３２に記載のコンピュータ・プログラム製品。
［発明３４］
前記コンピュータ読取可能媒体はさらに、少なくとも１つのコンピュータに対して、前記レガシーＵＥを犠牲にして、前記新たなＵＥのパフォーマンスを改善させるためのコードを備える発明３２に記載のコンピュータ・プログラム製品。
［発明３５］
前記コンピュータ読取可能媒体はさらに、少なくとも１つのコンピュータに対して、利用可能なユーザ数を、確率論的推論に基づいて決定させるためのコードを備える発明３２に記載のコンピュータ・プログラム製品。
［発明３６］
前記コンピュータ読取可能媒体はさらに、少なくとも１つのコンピュータに対して、前記無線通信システムに出入りするユーザに基づいて、アンテナ・ポート数を変更させるためのコードを備える発明３２に記載のコンピュータ・プログラム製品。
［発明３７］
前記コンピュータ読取可能媒体はさらに、少なくとも１つのコンピュータに対して、前記ユーザへ、利用可能なアンテナ・ポート数を通知させるためのコードを備える発明３２に記載のコンピュータ・プログラム製品。
［発明３８］
前記コンピュータ読取可能媒体はさらに、少なくも１つのコンピュータに対して、レガシー・ユーザの数、新たなユーザの数、基地局に対するユーザの位置、ユーザについて期待されるパフォーマンス、タイプ交換されたデータ、ＱｏＳ、またはこれらの組み合わせを収集することに基づいてアンテナ・ポートを決定させるためのコードを備える発明３２に記載のコンピュータ・プログラム製品。
［発明３９］
前記コンピュータ読取可能媒体はさらに、少なくとも１つのコンピュータに対して、システム情報ブロック（ＳＩＢ）によって前記新たなＵＥへ、アンテナ・ポートを通知させるためのコードを備える発明３２に記載のコンピュータ・プログラム製品。
［発明４０］
装置であって、
無線通信システムの全体の効率的な動作のために、レガシー・ユーザ機器（ＵＥ）の要件と、新たなＵＥの要件との間をインテリジェントにバランスさせるために、アンテナ・ポート数を適合させるアンテナ適合構成要素と、
前記無線通信システムでアンテナ・ポートを通知するアンテナ通知構成要素と
を備える装置。
［発明４１］
前記アンテナ・ポートを選択するアンテナ選択構成要素をさらに備える発明４０に記載の装置。
［発明４２］
前記アンテナ・ポート数を、前記無線通信システムの要件に調節する調節構成要素をさらに備える発明４１に記載の装置。
［発明４３］
前記アンテナ通知構成要素は、アンテナ・ポートを、ＬＴＥにおいてＰＢＣＨを介して前記レガシーＵＥへ通知する発明４０に記載の装置。
［発明４４］
前記調節構成要素は、レガシー・ユーザの基準信号（ＲＳ）用に確保されたリソースを解放するために、アンテナ・ポート数を低減する発明４２に記載の装置。
［発明４５］
前記アンテナ適合構成要素は、前記レガシーＵＥを犠牲にして、前記新たなＵＥのパフォーマンスを改善する発明４０に記載の装置。
［発明４６］
前記アンテナ適合構成要素は、レガシー・ユーザの数、新たなユーザの数、基地局に対するユーザの位置、ユーザについて期待されるパフォーマンス、タイプ交換されたデータ、ＱｏＳ、受信アンテナ機能またはＵＥ機能、または、これらの組み合わせに関連する情報を収集することに基づいて前記アンテナ・ポートを決定する発明４３に記載の装置。
【外国語明細書】
2014060748000001.pdf